(57)【特許請求の範囲】
【請求項１】
底板と、取っ手孔を形成した側板とを備えた収納容器において、
上記側板の一方の面から上記取っ手孔に嵌め込まれる嵌合部と、この嵌合部を上記取っ手孔に嵌め込むと上記側板の上辺より突出する凸部と、上記嵌合部及び上記凸部が一体に設けられた接面部とを有し、上記側板の一方の面から上記嵌合部が上記取っ手孔に嵌め込まれると、上記側板の他方の面と係合する第１の係合部を上記嵌合部に、上記側板の他方の面と係合する第２の係合部を上記凸部にそれぞれ備えた取っ手器具を備えるとともに、
上記側板の上辺より突出した凸部を仮想的に上方から上記側板の下辺へ平行に移動し、その該当する部分を上記収納容器から切り取った凹部が形成されることを特徴とする収納容器。
【請求項２】
上記取っ手器具は、上記側板の一方の面から上記嵌合部が上記取っ手孔に嵌め込まれた際の上記側板と上記接面部との間に対し挿入されるメモ片を表示するためのメモ窓部が上記嵌合部と上記凸部との間に形成されることを特徴とする請求項１記載の収納容器。
【請求項３】
底板と、取っ手孔を形成した側板とを備えた収納容器の取っ手器具において、
上記側板の一方の面から上記取っ手孔に嵌め込まれる嵌合部と、
この嵌合部を上記取っ手孔に嵌め込むと上記側板の上辺より突出する凸部と、
上記嵌合部及び上記凸部が一体に設けられた接面部とを有するとともに、
上記側板の一方の面から上記嵌合部が上記取っ手孔に嵌め込まれると、上記側板の他方の面と係合する第１の係合部を上記嵌合部に、上記側板の他方の面と係合する第２の係合部を上記凸部にそれぞれ備え、
上記側板の上辺より突出した凸部は、仮想的に上方から上記側板の下辺へ平行に移動させると、その該当する部分を上記収納容器から切り取って形成した凹部となることを特徴とする取っ手器具。
【請求項４】
上記側板の一方の面から上記嵌合部が上記取っ手孔に嵌め込まれた際の上記側板と上記接面部との間に対し挿入されるメモ片を表示するためのメモ窓部が上記嵌合部と上記凸部との間に形成されることを特徴とする請求項３記載の取っ手器具。
【発明の詳細な説明】
【技術分野】
【０００１】
この発明は、様々な物品をその中に収納しつつ、取っ手孔に手を掛けられて持ち運ばれたり、上下段に積み重ねられて保管される収納容器に係るものである。また、この発明は、収納容器の側板に形成された取っ手孔に用いられ、取っ手孔の補強と握りやすさとを実現する取っ手器具に関するものである。
【背景技術】
【０００２】
図１０は従来の収納容器の構成を示す図である。この第１の従来技術は特許文献１に開示されている。
【０００３】
図１０において、２００は従来の収納容器、２０２〜２０５は収納容器２００の側板、２０６は収納容器２００の底板である。収納容器２００は側板２０２〜２０５と底板２０６とを備え、上部は開いた状態となっている。
【０００４】
また、図１０において、２０７は側板２０３，２０４のコーナーを連結するためのコーナー器具、２０９，２１０は収納容器２００を持ち運ぶ際に手を掛ける取っ手孔である。取っ手孔２０９，２１０は向い合う２つの側板２０３，２０５にそれぞれ形成されている。
【０００５】
さらに、図１０において、２１１，２１２は取っ手孔２０９，２１０を補強するための取っ手器具である。取っ手器具２１１，２１２は、収納容器２００の内外から側板２０３，２０５を挟むようにして取っ手孔２０９，２１０にそれぞれ嵌め込まれる。そして取っ手器具２１１，２１２は、結合突起と結合孔又はネジとナットなどといった一体／別体の留め具手段を結合箇所２１１Ｊ，２１２Ｊに用いて側板２０３，２０５に取り付けられる。
【０００６】
このように、第１の従来技術では、取っ手器具２１１，２１２により、収納容器２００を持ち運ぶ際に取っ手孔２０９，２１０を握りやすくし、かつ、収納した物品の重みなどが原因となって破損しがちな取っ手孔２０９，２１０を補強している。
【０００７】
図１１は従来の収納容器の構成を示す図である。この第２の従来技術は特許文献２に開示されている。
【０００８】
図１１において、３００は従来の収納容器、３０１Ａ，３０１Ｂは収納容器３００の頂板、３０２〜３０５は収納容器３００の側板、３０６Ａ，３０６Ｂは収納容器３００の底板である。収納容器３００は頂板３０１Ａ，３０１Ｂと側板３０２〜３０５と底板３０６Ａ，３０６Ｂとを備え、上部は閉じた状態となっている。
【０００９】
また、図１１において、３０７Ａ，３０７Ｂは頂板３０１Ａ，３０１Ｂの向い合う辺にそれぞれ取り付けられた一対のファスナ、３０８Ａ，３０８Ｂは底板３０６Ａ，３０６Ｂの向い合う辺にそれぞれ取り付けられた一対のファスナ、３０９，３１０は収納容器３００を持ち運ぶ際に手を掛ける取っ手孔である。取っ手孔３０９，３１０は向い合う２つの側板３０３，３０５にそれぞれ形成されている。
【００１０】
さらに、図１１において、３１３Ａ，３１３Ｂ，３１４Ａ，３１４Ｂは板部材である。板部材３１３Ａ，３１３Ｂは頂板３０１Ａ，３０１Ｂの外側にそれぞれ貼り付けられ、対をなして凸部３１３凸を形成している。一方、板部材３１４Ａ，３１４Ｂは底板３０６Ａ，３０６Ｂの外側にそれぞれ貼り付けられ、対をなして凹部３１４凹を形成している。
【００１１】
図１１では、２つの収納容器３００を積み重ねると、下に位置する収納容器３００の凸部３１３凸が、上に位置する収納容器３００の凹部３１４凹に嵌まり込むようになっている。
【００１２】
このように、第２の従来技術では、凸部３１３凸及び凹部３１４凹により、複数の収納容器３００を積み重ねた際のズレを抑止している。
【先行技術文献】
【特許文献】
【００１３】
【特許文献１】特開２００２−２４９１４４公報
【００１４】
【特許文献２】実用新案登録第３０７９６３７号
【発明の概要】
【発明が解決しようとする課題】
【００１５】
第１の従来技術は以上のように構成されているが、収納容器２００を積み重ねることを想定していないため、仮に積み重ねるとすると、側板２０２〜２０５の上辺や、取っ手器具２１１，２１２，コーナー器具２０７の上部だけで、上に位置する収納容器２００を支えることになり、ズレが生じやすいという課題があった。
【００１６】
また、第１の従来技術は、ネジとナットなどといった別体の留め具手段により取っ手器具２１１，２１２を側板２０３，２０５に取り付けると、組立作業が煩雑になってしまうという課題があった。
【００１７】
第２の従来技術は以上のように構成されているので、板部材３１３Ａ，３１３Ｂを貼り付けるための頂板３０１Ａ，３０１Ｂが必要となり、頂板がなく上部が開いた状態の収納容器２００には適用できないという課題があった。
【００１８】
また、第２の従来技術は、板部材３１３Ａ，３１３Ｂ及び板部材３１４Ａ，３１４Ｂを頂板３０１Ａ，３０１Ｂ及び底板３０６Ａ，３０６Ｂの外側にそれぞれ貼り付ける必要があるため、やはり組立作業が煩雑になってしまうという課題があった。
【００１９】
この発明は上記の課題を解決するためになされたもので、頂板がなく上部が開いた状態の収納容器に用いて、積み重ねた際のズレを抑止することが可能な収納容器及び取っ手器具を提供することを目的とする。
【００２０】
また、この発明は、組立作業を簡単に行うことが可能な収納容器及び取っ手器具を提供することを目的とする。
【課題を解決するための手段】
【００２１】
この発明に係る収納容器は、側板の取っ手孔に嵌め込んだ取っ手器具の一部が側板の上辺より突出するとともに、上下段に積み重ねられた際に、突出した部分が下段から嵌まり込む切込みが下部に形成されるようにしたものである。
【００２２】
この発明に係る収納容器は、取っ手器具は、突出した部分と一体に形成されるようにしたものである。
【００２３】
この発明に係る収納容器は、取っ手器具は、側板の一方の面から取っ手孔に嵌め込まれると、側板の取っ手孔及び上辺において側板の他方の面と係合する部分を備えるようにしたものである。
【００２４】
この発明に係る収納容器は、取っ手器具は、側板の一方の面から取っ手孔に嵌め込まれると、取っ手孔に嵌め込んだ部分と突出した部分との間に、一方の面を覗き見るための孔が形成されるようにしたものである。
【００２５】
この発明に係る収納容器は、底板と、取っ手孔を形成した側板とを備えた収納容器において、側板の一方の面から取っ手孔に嵌め込まれる嵌合部と、この嵌合部を取っ手孔に嵌め込むと側板の上辺より突出する凸部とを有した取っ手器具を備えるとともに、側板の上辺より突出した凸部を仮想的に上方から側板の下辺へ平行に移動し、その該当する部分を収納容器から切り取った凹部が形成されるようにしたものである。
【００２６】
この発明に係る収納容器は、取っ手器具は、嵌合部及び凸部が一体に設けられた接面部を備えるようにしたものである。
【００２７】
この発明に係る収納容器は、取っ手器具は、側板の一方の面から嵌合部が取っ手孔に嵌め込まれると、側板の他方の面と係合する第１の係合部及び第２の係合部を嵌合部及び凸部にそれぞれ備えるようにしたものである。
【００２８】
この発明に係る収納容器は、取っ手器具は、側板の一方の面から嵌合部が取っ手孔に嵌め込まれた際の側板と接面部との間に対し挿入されるメモ片を表示するためのメモ窓部が嵌合部と凸部との間に形成されるようにしたものである。
【００２９】
この発明に係る取っ手器具は、側板の取っ手孔に嵌め込まれるとその一部が側板の上辺より突出するとともに、収納容器を上下段に積み重ねると、収納容器の下部に形成された切込みに対し、突出した部分が下段から嵌まり込むようにしたものである。
【００３０】
この発明に係る取っ手器具は、突出した部分と一体に形成されるようにしたものである。
【００３１】
この発明に係る取っ手器具は、側板の一方の面から取っ手孔に嵌め込まれると、側板の取っ手孔及び上辺において側板の他方の面と係合する部分を備えるようにしたものである。
【００３２】
この発明に係る取っ手器具は、側板の一方の面から取っ手孔に嵌め込まれると、取っ手孔に嵌め込んだ部分と突出した部分との間に、一方の面を覗き見るための孔が形成されるようにしたものである。
【００３３】
この発明に係る取っ手器具は、底板と、取っ手孔を形成した側板とを備えた収納容器の取っ手器具において、側板の一方の面から取っ手孔に嵌め込まれる嵌合部と、この嵌合部を取っ手孔に嵌め込むと側板の上辺より突出する凸部とを有するとともに、側板の上辺より突出した凸部は、仮想的に上方から側板の下辺へ平行に移動させると、その該当する部分を収納容器から切り取って形成した凹部となるようにしたものである。
【００３４】
この発明に係る取っ手器具は、嵌合部及び凸部が一体に設けられた接面部を備えるようにしたものである。
【００３５】
この発明に係る取っ手器具は、嵌合部は、側板の一方の面から取っ手孔に嵌め込まれると、側板の他方の面と係合する第１の係合部を備え、凸部は、側板の一方の面から嵌合部が取っ手孔に嵌め込まれると、側板の他方の面と係合する第２の係合部を備えるようにしたものである。
【００３６】
この発明に係る取っ手器具は、側板の一方の面から嵌合部が取っ手孔に嵌め込まれた際の側板と接面部との間に対し挿入されるメモ片を表示するためのメモ窓部が嵌合部と凸部との間に形成されるようにしたものである。
【発明の効果】
【００３７】
この発明によれば、収納容器を積み重ねると、下に位置する収納容器の取っ手器具が、上に位置する収納容器の切込みに嵌まり込んでズレを抑止できるようになり、スタッキング機能を発揮できるという効果が得られる。
【００３８】
この発明によれば、ワンピースの取っ手器具を構成でき、取っ手そのものとしての機能とスタッキング機能とを同時に実現できるという効果が得られる。
【００３９】
この発明によれば、ネジとナットなどのような、取っ手器具とは別体の留め具手段を必要とせず、収納容器の内外から側板を挟むようにして取っ手孔にそれぞれ嵌め込む２ピースタイプの構成とすることもなく、収納容器に対し取っ手器具を容易に取り付けられるようになり、組立作業を簡単に行えるという効果が得られる。
【００４０】
この発明によれば、メモ片の書換や交換を繰り返し簡単に行えるという効果が得られる。
【図面の簡単な説明】
【００４１】
【図１】この発明の実施の形態１による収納容器の構成を示す図である。
【図２】この発明の実施の形態１による取っ手器具の構成を示す図である。
【図３】この発明の実施の形態１による取っ手器具の構成を示す図である。
【図４】取っ手孔に取っ手器具を嵌め込む際の組立手順を説明するための図である。
【図５】取っ手孔に取っ手器具を嵌め込む際の組立手順を説明するための図である。
【図６】上に位置する収納容器の凹部と下に位置する収納容器の凸部との関係を説明するための図である。
【図７】この発明の実施の形態１による収納容器の効果を説明するための図である。
【図８】この発明の実施の形態２による収納容器の構成を示す図である。
【図９】この発明の実施の形態３による収納容器の構成を示す図である。
【図１０】従来の収納容器の構成を示す図である。
【図１１】従来の収納容器の構成を示す図である。
【発明を実施するための形態】
【００４２】
以下、この発明の実施の形態について、図面を参照しつつ詳細に説明する。なお、各図面において、同一の又は相当する構成要素については同一の又は相当する符号を付してある。
【００４３】
実施の形態１．
＜構成＞
図１はこの発明の実施の形態１による収納容器の構成を示す図である。図１（ａ）は取っ手器具を取り付ける前の収納容器を、図１（ｂ）は取っ手器具を取り付けた後の収納容器を斜視図でそれぞれ表している。
【００４４】
図１において、１００はこの実施の形態１による収納容器、１０２〜１０５は収納容器１００の側板、１０６は収納容器１００の底板である。収納容器１００は、紙や樹脂などから作られており、側板１０２〜１０５と底板１０６とを備え、上部は開いた状態となっている。
【００４５】
また、図１において、１０９，１１０は収納容器１００を持ち運ぶ際に手を掛ける取っ手孔である。取っ手孔１０９，１１０は、向い合う２つの側板１０３，１０５にそれぞれ形成されている。
【００４６】
さらに、図１において、１１１，１１２は取っ手孔１０９，１１０を補強するための取っ手器具である。取っ手器具１１１，１１２はそれぞれ樹脂などから作ったワンピース（※１）の加工品であり、側板１０３，１０５の外側から取っ手孔１０９，１１０に嵌め込まれる。
【００４７】
（※１）「ワンピース」……ｏｎｅ−ｐｉｅｃｅ［和製英語］。全体が一つの部分でできているもの。『デジタル大辞泉』より。
【００４８】
さらに、図１において、１１５は取っ手器具１１１に対応して設けられた凹部である。凹部１１５は収納容器１００の下部の一部を切り込んで形成している。なお、側板１０５側については図示を省略してあるが、側板１０３側と同様に取っ手器具１１２に対応して凹部を設けてある。
【００４９】
図２及び図３はこの発明の実施の形態１による取っ手器具の構成を示す図である。図２（ａ）は正面図を、図２（ｂ）は右側面図を、図３（ｃ）は背面図を、図３（ｄ）はＡ−Ａ線断面図を、図３（ｅ）は上面図をそれぞれ表している。なお、取っ手器具１１２も取っ手器具１１１と同様の構成である。
【００５０】
図２及び図３において、１１１Ａは側板１０３の外側の面と接する接面部、１１１Ｂは接面部１１１Ａの一方の面に形成された嵌合部である。嵌合部１１１Ｂは取っ手孔１０９に嵌め込まれるように設計してある。
【００５１】
また、図２及び図３において、１１１Ｃは収納容器１００を持ち運ぶ際に手を掛ける開口部、１１１Ｄは嵌合部１１１Ｂに形成された第１の係合部、１１１Ｅは接面部１１１Ａの上部に形成された凸部、１１１Ｆは凸部１１１Ｅに形成された第２の係合部、１１１Ｇは実施の形態２で説明するメモ窓部である。
【００５２】
＜組立＞
次に組立手順について説明する。
図４及び図５は取っ手孔に取っ手器具を嵌め込む際の組立手順を説明するための図であり、側板１０３の外側（図４及び図５の左側）から取っ手孔１０９に取っ手器具１１１を嵌め込んでいく様子を側面透視図により表している。
【００５３】
まず、嵌合部１１１Ｂの下部を取っ手孔１０９に入れ、嵌合部１１１Ｂの下部に形成した第１の係合部１１１Ｄを側板１０３の内側（図４及び図５の右側）の面に掛ける（図４（ａ））。次に、接面部１１１Ａの一方の面が側板１０３の外側の面と接するように、接面部１１１Ａの上部を側板１０３に近づけていく（図４（ｂ））。
【００５４】
続いて、嵌合部１１１Ｂの上部が取っ手孔１０９の上部と接したら（図４（ｂ））、嵌合部１１１Ｂの上部を取っ手孔１０９へ入れ（図４（ｃ））、凸部１１１Ｅに形成した第２の係合部１１１Ｆが側板１０３の上辺に接するまで、嵌合部１１１Ｂの全体を取っ手孔１０９に嵌め込んでいく（図５（ｄ））。
【００５５】
そして、嵌合部１１１Ｂの全体を取っ手孔１０９に完全に嵌め込むと、接面部１１１Ａの一方の面が側板１０３の外側の面と接し、凸部１１１Ｅ及び第２の係合部１１１Ｆが側板１０３の上辺を乗り越える（図５（ｅ））。最後に、凸部１１１Ｅが側板１０３の上辺から上に突出した状態で収まり、係合部１１１Ｆが側板１０３の内側の面に掛かると（図５（ｆ））、組立が完了する。
【００５６】
＜効果＞
こうして取っ手器具１１１を取り付けた２つの収納容器１００を上下段に積み重ねると、以下のように機能する。
【００５７】
図６は上に位置する収納容器の凹部と下に位置する収納容器の凸部との関係を説明するための図である。また、図７はこの発明の実施の形態１による収納容器の効果を説明するための図であり、２つの収納容器を積み重ねた状態を斜視図により示している。なお、シングルクォート記号（’）を付した符号は、シングルクォート記号を付していない符号と同様の構成要素である。
【００５８】
図６に示すように、取っ手器具１１１の凸部１１１Ｅは、側板１０３の上辺から上に突出した状態となっている。この凸部１１１Ｅを仮想的に上方から側板１０３の下辺へ平行に移動し、その該当する部分を収納容器１００（つまり、側板１０３及び底板１０６）から切り取ったものが凹部１１５である。
【００５９】
すなわち、収納容器１００に対し収納容器１００’をズレなく積み重ねると、収納容器１００の凸部１１１Ｅが収納容器１００’の凹部１１５’にちょうど嵌まり込むようになる（図６）。こうしてこの実施の形態１では、頂板がなく上部が開いた状態の収納容器１００であっても、そのズレを抑止し、スタッキング（※２）機能を実現している（図７）。
【００６０】
（※２）「スタッキング」……ｓｔａｃｋｉｎｇ［英語］。積み重ねること。特に日本では、揃いの食器・家具などを積み重ねることをいう。『デジタル大辞泉』より。
【００６１】
また、図４及び図５でも説明したように、側板１０３の外側の面から嵌合部１１１Ｂを取っ手孔１０９に嵌め込むと、取っ手孔１０９において側板１０３の内側の面に掛かる第１の係合部１１１Ｄと、側板１０３の上辺において側板１０３の内側の面と掛かる第２の係合部１１１Ｆとを嵌合部１１１Ｂと凸部１１１Ｅとにそれぞれ備えるようにしているので、ネジとナットなどのような、取っ手器具とは別体の留め具手段を必要とせず、収納容器の内外から側板を挟むようにして取っ手孔にそれぞれ嵌め込む２ピースタイプの構成とすることもなく、収納容器１００に対し取っ手器具１１１を簡単に取り付けられるようになり、組立作業を簡単に行うことができる。
【００６２】
さらに、嵌合部１１１Ｂ及び凸部１１１Ｅを接面部１１１Ａに一体に設けてワンピースの取っ手器具１１１を構成することで、取っ手そのものとしての機能とスタッキング機能とを同時に実現可能としている。
【００６３】
＜変形＞
以上の説明では、第１の係合部１１１Ｄ及び第２の係合部１１１Ｆにより取っ手器具１１１を収納容器１００に取り付けるようにした。このワンピースタイプの取っ手器具１１１が最良の形態であることは言うまでもないが、この発明はこれに限定されるものではない。例えば、必要であれば、ネジとナットなどにより取っ手孔１０９に取っ手器具１１１を取り付ける構成であっても良いし、収納容器１００の内外から側板１０３を挟むようにして取っ手孔１０９にそれぞれ嵌め込むものなど、一部を別体としたタイプの取っ手器具を用いても良く、収納容器１００のズレを抑止することはこの実施の形態１と同様に可能である。
【００６４】
また、以上の説明では、側板１０３の外側から取っ手器具１１１を取り付けるようにしたが、この発明はこれに限定されるものではなく、側板１０３の内側から取っ手器具１１１を取り付けるようにしても実施可能である。
【００６５】
さらに、以上の説明では、第１の係合部１１１Ｄ及び第２の係合部１１１Ｆの数をそれぞれ１としたが、この発明はこれに限定されるものではなく、両者の数は２以上であっても良い。
【００６６】
さらに、以上の説明では、側板１０３，１０５に取っ手孔１０９，１１０を形成したが、この発明はこれに限定されるものではなく、側板１０２，１０４に取っ手孔を形成してこれらに取っ手器具を用いるようにしても良い。
【００６７】
実施の形態２．
図８はこの発明の実施の形態２による収納容器の構成を示す図である。図８（ａ）は上面図を、図８（ｂ）は正面図をそれぞれ表している。
【００６８】
図８において、１１１Ｇは嵌合部１１１Ｂ（開口部１１１Ｃ）と凸部１１１Ｅとの間の接面部１１１Ａに窓孔として形成したメモ窓部である。嵌合部１１１Ｂを側板１０３の外側から取っ手孔１０９に嵌め込むと、メモ窓部１１１Ｇを通じて側板１０３の外側の面を覗き見れる。
【００６９】
また、図８において、１１７は注意書きなどを記載した紙片や樹脂板などのメモ片である。メモ片１１７は、図８（ａ）に示すように、側板１０３に取り付けた取っ手器具１１１の接面部１１１Ａと側板１０３の外側の面との間の隙間に対し挿抜自在になっている。
【００７０】
したがって、図８（ｂ）に示すように、取っ手器具１１１の左側から上記の隙間に対しメモ片１１７を挿入すると、このメモ片１１７に記載された内容をメモ窓部１１１Ｇを通じて確認することができる。メモ片１１７は隙間から左側へ抜き取ることも可能であるため、メモ片１１７の書換や交換を繰り返し簡単に行うことができる。
【００７１】
実施の形態３．
図９はこの発明の実施の形態３による収納容器の構成を示す図である。図９において、１１８は凹部１１９，１２０が形成された蓋器具である。蓋器具１１８によって最上段の収納容器１１５’に蓋をすると、凸部１１１Ｅ’，１１２Ｅ’が凹部１１９，１２０にそれぞれ嵌まり込むようになっている。
【００７２】
このように、側板１０３’，１０５’の上辺より突出した凸部１１１Ｅ’，１１２Ｅ’が嵌め込まれる凹部１１９，１２０を形成した蓋器具１１８を備えることで、最上段の収納容器１００’に蓋をすることができ、蓋器具１１８のズレを抑止できるようになる。
【産業上の利用可能性】
【００７３】
この発明は、例えば簡易組立式の収納用家具などに利用可能である。
【符号の説明】
【００７４】
１００  収納容器
１０２〜１０５  側板
１０６  底板
１０９，１１０  取っ手孔
１１１，１１２  取っ手器具
１１１Ａ  接面部
１１１Ｂ  嵌合部
１１１Ｃ  開口部
１１１Ｄ  第１の係合部
１１１Ｅ  凸部
１１１Ｆ  第２の係合部
１１１Ｇ  メモ窓部
１１５  凹部
１１７  メモ片
１１８  蓋器具
１１９，１２０  凹部
【要約】
【課題】
頂板がなく上部が開いた状態の収納容器に用いることができ、積み重ねた際のズレを抑制し、スタッキング機能を発揮することが可能な収納容器及び取っ手器具を提供する。
【解決手段】
収納容器１００において、側板１０３の一方の面から取っ手孔１０９に嵌め込まれる嵌合部１１１Ｂと、この嵌合部１１１Ｂを取っ手孔１０９に嵌め込むと側板１０３の上辺より突出する凸部１１１Ｅと、嵌合部１１１Ｂ及び凸部１１１Ｅが一体に設けられた接面部１１１Ａとを有した取っ手器具１１１を備えるとともに、側板１０３の上辺より突出した凸部１１１Ｅを仮想的に上方から側板の下辺へ平行に移動し、その該当する部分を収納容器１００から切り取った凹部１１５が形成されるようにする。
【選択図】        図６【図１】
0005625129.tif 000002
【図２】
0005625129.tif 000003
【図３】
0005625129.tif 000004
【図４】
0005625129.tif 000005
【図５】
0005625129.tif 000006
【図６】
0005625129.tif 000007
【図７】
0005625129.tif 000008
【図８】
0005625129.tif 000009
【図９】
0005625129.tif 000010
【図１０】
0005625129.tif 000011
【図１１】
0005625129.tif 000012